(57)【要約】【課題】  消費電力を抑えつつ、外部機器に画像データを赤外線通信で送信する工夫が施された撮影装置を提供する。【解決手段】  上記目的を達成する本発明の撮影装置は、赤外線通信の相手となる外部機器であるプリンタ１００と撮影装置であるデジタルカメラ１との間の距離を測る測距部５０１と、その測距部５０１で得られた距離に応じて赤外線の強度を調整して、外部機器であるプリンタ１００との間で赤外線通信を行う通信部５０２とを備えたことを特徴とする。【選択図】        図３
2007208768.tif 000002
【特許請求の範囲】
【請求項１】
被写体像を捉えて画像データを生成し、生成した画像データを赤外線通信手段を備えた外部機器に赤外線通信で送信する撮影装置において、
赤外線通信の相手となる外部機器と撮影装置との間の距離を測る測距部と、
前記測距部で得られた距離に応じて赤外線の強度を調整して、該外部機器との間で赤外線通信を行う通信部とを備えたことを特徴とする撮影装置。
【請求項２】
前記測距部で得られた距離に基づいて前記画像データを前記外部機器に赤外線通信で送信することの可否を判定する判定部を備え、
前記通信部は、前記判定部の判定結果が、前記外部機器が赤外線受信範囲内である旨の判定結果であったときに、該外部機器に画像データを赤外線通信で送信するものであることを特徴とする請求項１記載の撮影装置。
【発明の詳細な説明】
【技術分野】
【０００１】
本発明は、被写体像を捉えて画像データを生成し、生成した画像データを赤外線通信手段を備えた外部機器に赤外線通信で送信する撮影装置に関する。
【背景技術】
【０００２】
近年、ＩｒＤＡ（Ｉｎｆｒａｒｅｄ Ｄａｔａ Ａｓｓｏｃｉａｔｉｏｎ）に準拠した赤外線通信を用いて、外部機器との間で画像データを通信する撮影装置の１つであるデジタルカメラが普及してきている（例えば、特許文献１参照。）。
【０００３】
特許文献１に開示された技術によれば、アクティブ測距方式に使用される赤外線投光部および赤外線受光部を赤外線通信にも兼用し、小型化されたデジタルカメラを実現している。
【０００４】
このアクティブ測距方式は、赤外線で三角測距を行う方式である。具体的には、このアクティブ測距方式は、赤外線投光部から投光した赤外線を被写体に当てて、反射された赤外線を赤外線受光部で受光して、その受光位置に基づいて被写体までの距離を演算して求める方式である。このアクティブ測距方式を行うことで、焦点距離の合った画像データを得ることができる。そして、生成した画像データは、使用者によって、プリンタなどの外部機器に赤外線通信で送信された後、その画像データは印画紙などにプリントされる。
【特許文献１】特開平０９−１４９３１５号公報
【発明の開示】
【発明が解決しようとする課題】
【０００５】
従来、赤外線通信機能付きデジタルカメラでは、赤外線の発光強度は固定値として設定されている。発光強度を強く設定した場合、デジタルカメラに使用されている電池の消費電力が増えるため、その固定値は、その電池の消費電力が増えすぎないように、ある程度の値に制限されている。
【０００６】
しかし、赤外線通信の相手となる外部機器とデジタルカメラとの間の通信距離が短いときには、必要以上の発光強度で赤外線送信をして、デジタルカメラに使用されている電池の電力を余計に消費しているという問題がある。
【０００７】
また、赤外線通信の相手となる外部機器とデジタルカメラとの間の通信距離が遠いときには、固定された発光強度だと発光強度が足りず、通信エラーが生じてしまうという問題がある。この場合、赤外線通信でプリンタなどの外部機器に正しく赤外線通信できるかどうかは、赤外線通信を開始してから分かるので、赤外線通信をした分、デジタルカメラの電池の電力が無駄になるという問題がある。
【０００８】
本発明は、上記事情に鑑み、消費電力を抑えつつ、外部機器に画像データを赤外線通信で送信する工夫が施された撮影装置を提供することを目的とする。
【課題を解決するための手段】
【０００９】
被写体像を捉えて画像データを生成し、生成した画像データを赤外線通信手段を備えた外部機器に赤外線通信で送信する撮影装置において、
赤外線通信の相手となる外部機器と撮影装置との間の距離を測る測距部と、
上記測距部で得られた距離に応じて赤外線の強度を調整して、その外部機器との間で赤外線通信を行う通信部とを備えたことを特徴とする。
【００１０】
必要以上に赤外線の発光強度を強くせずに済み、赤外線通信に用いられる消費電力を抑えることができる。
【００１１】
上記測距部で得られた距離に基づいて上記画像データを前記外部機器に赤外線通信で送信することの可否を判定する判定部を備え、
上記通信部は、上記判定部の判定結果が、上記外部機器が赤外線受信範囲内である旨の判定結果であったときに、その外部機器に画像データを赤外線通信で送信するものであることが好ましい。
【００１２】
赤外線通信をする前に赤外線通信可能か否かが分かるので、無駄な赤外線通信をせずに済み、消費電力を抑えることができる。
【発明の効果】
【００１３】
以上説明したように、本発明によれば、消費電力を抑えつつ、外部機器に画像データを赤外線通信で送信する工夫が施された撮影装置を提供することができる。
【発明を実施するための最良の形態】
【００１４】
以下図面を参照して、本発明の実施の形態を説明する。
【００１５】
図１は、本発明の第１実施形態であるデジタルカメラを示す外観斜視図である。
【００１６】
また、図２は、図１に示すデジタルカメラを背面から見た背面図である。
【００１７】
図１に示されるように、デジタルカメラ１の前面１１には、デジタルカメラ内部に配設されたレンズ群に被写体光を導くための対物レンズ１２、および被写体に向けて閃光を発光するための閃光発光窓１３が備えられている。
【００１８】
また、デジタルカメラ１の前面１１には、赤外線投光部１６、赤外線受光部１７が備えられている。赤外線投光部１６は、被写体や赤外線通信をする相手となる外部機器に向けて赤外線を出射するものである。赤外線受光部１７は、赤外線投光部１６で出射して被写体に当って反射した赤外線を受光したり、赤外線通信をする相手となる外部機器から出射された赤外線を受光するものである。
【００１９】
このデジタルカメラ１の上面１４には、レリーズボタン１５が備えられている。レリーズボタン１５の押下により静止画撮影が行われる。
【００２０】
図２に示されるように、このデジタルカメラ１の背面２１には、電源ボタン２２、モードスイッチ２３が設けられている。この電源ボタン２２は、デジタルカメラ１の電源をＯＮ／ＯＦＦするものであり、このモードスイッチ２３は、撮影モードと再生モードとを切り替えるスイッチである。
【００２１】
また、このデジタルカメラ１の背面２１には、メニュー切替えおよび実行キー２４が備えられている。このメニュー切替えおよび実行キー２４は、撮影に使用されるメニューを自在に切り替えて設定条件を選択して実行するキーである。
【００２２】
さらに、このデジタルカメラ１の背面２１には、広角ズームキー２５、望遠ズームキー２６、および液晶表示パネル２７が備えられている。広角ズームキー２５は、焦点距離を広角側に変更するためのキーであり、望遠ズームキー２６は、焦点距離を望遠側に変更するためのキーである。液晶表示パネル２７は、被写体の画像、メニュー切替えおよび実行キー２４のメニュー等を液晶表示するものである。
【００２３】
次に、デジタルカメラ１の内部構成を説明する。
【００２４】
図３は、プリンタと赤外線通信するデジタルカメラの内部の構成を示す図である。
【００２５】
このデジタルカメラ１には、撮影レンズ３０１、絞り３０２、およびＣＣＤ３０３が備えられている。なお、撮影レンズは、説明上、１枚のレンズとして模式的に描かれている。
【００２６】
この絞り３０２は、被写体光を絞ったり、遮光したりするものである。
【００２７】
このＣＣＤ３０３は、レンズ３０１を経由してきた被写体光を捉える固体撮像素子である。
【００２８】
このデジタルカメラ１には、レンズ用モータドライバ４０１、レンズモータ４０１＿１、絞り用モータドライバ４０２、絞りモータ４０２＿２、およびタイミングジェネレータ４０３が備えられている。
【００２９】
このレンズ用モータドライバ４０１は、レンズモータ４０１＿１を介してレンズ３０１を駆動させるものである。絞り用モータドライバ４０２は、絞りモータ４０２＿２を介して絞り３０２の開閉を行うものである。このタイミングジェネレータ４０３は、ＣＣＤ３０３に露光開始および露光終了を告げるものでありいわゆるシャッタスピードに相当する。
【００３０】
このデジタルカメラ１には、ＣＰＵ４０が備えられている。このＣＰＵ４０には、ＥＥＰＲＯＭ４０４が内蔵されている。このＥＥＰＲＯＭ４０４は書き換え可能な不揮発性メモリで構成されている。また、このＣＰＵ４０にはＲＯＭ４０５が内蔵されており、このＲＯＭ４０５内にはプログラムが格納されている。このプログラムの手順にしたがってデジタルカメラ１の動作がＣＰＵ４０により制御される。
【００３１】
このデジタルカメラ１には、ＣＤＳＡＭＰ３０４、およびＡ／Ｄ変換部３０５が備えられている。ＣＤＳＡＭＰ３０４は、ＣＣＤ３０３から出力されたアナログ画像信号の雑音を低減する処理等を行ない、Ａ／Ｄ変換部３０５は、このアナログ画像信号をデジタル画像信号に変換する。
【００３２】
また、このデジタルカメラ１には、画像入力コントローラ３０６、および画像信号処理部３０７が備えられている。画像入力コントローラ３０６は、Ａ／Ｄ変換部３０５でデジタル画像信号に変換された画像データをデータバス４０６を介してＳＤＲＡＭ４０７に転送する。このＳＤＲＡＭ４０７は、画像データが一時的に記憶されるメモリである。画像信号処理部３０７は、ＳＤＲＡＭ４０７に記憶された画像データの画像処理を実行する。
【００３３】
また、このデジタルカメラ１には、ＡＦ検出部３０８、およびＡＥ＆ＡＷＢ検出部３０９が備えられている。ＡＦ検出部３０８は画像のピント情報を検出し、ＡＥ＆ＡＷＢ検出部３０９は画像の輝度情報と白色バランス情報を検出する。
【００３４】
また、このデジタルカメラ１には、測距部５０１、通信部５０２、および判定部５０３が備えられている。測距部５０１は、上述したアクティブ測距方式を行い、デジタルカメラと被写体との間の距離を測定するものである。通信部５０２は、測距部５０１で得られた距離に応じて赤外線の強度を調整して、プリンタ１００との間で赤外線通信を行うものである。判定部５０３は、測距部５０１で得られた距離に基づいて画像データをプリンタ１００に赤外線通信で送信することの可否を判定するものである。
【００３５】
また、このデジタルカメラ１には、ＹＣ変換処理部３１０、圧縮伸長処理部３１１、ＶＲＡＭ３１２が備えられている。ＹＣ変換処理部３１０は、データバス４０６を介して入力されたデジタルの画像信号を輝度（Ｙ）と色（Ｃ）とで表されるＹＣ信号に変換するものである。圧縮伸長処理部３１１は、ＣＰＵ４０の指示によりＹＣ信号に変換された画像データを圧縮処理するものである。ＶＲＡＭ３１２は、液晶表示パネル２７に表示される内容を保持しているメモリであり、Ａ領域、Ｂ領域の２つのバッファ領域を有している。
【００３６】
また、このデジタルカメラ１には、Ｖｉｄｅｏ／ＬＣＤエンコーダ３１３、メディアコントローラ３１４、および閃光発光制御部３１５が備えられている。Ｖｉｄｅｏ／ＬＣＤエンコーダ３１３は、画像データをビデオ信号に変換して液晶表示パネル２７に導く。メディアコントローラ３１４は、画像データを記録メディア１８に記憶するための制御を行なう。閃光発光制御部３１５は、閃光発光窓１３を通して、閃光発光をするものである。
【００３７】
このデジタルカメラ１には、操作部２０、および電源部２２＿１が備えられている。この操作部２０は、図２に既に説明したデジタルカメラ１の背面２１および上面１４に備えられている各操作子の操作を受け付けてＣＰＵ４０に各操作子の処理の命令を出すものである。この電源部２２＿１は、電源投入操作を受けて各ブロックへ給電するものである。
【００３８】
次に、本発明の第１実施形態であるデジタルカメラ１の撮影動作について説明する。
【００３９】
このデジタルカメラ１の撮影動作はＣＰＵ４０により制御される。
【００４０】
先ず、使用者が電源ボタン２２を押して電源投入操作をすると、操作部２０が電源投入操作を受け付けて、ＣＰＵ４０では、ＲＯＭ４０５のプログラムの実行が開始され、液晶表示パネル２７に画像が表示されるとともに、撮影条件の設定操作やレリーズボタン１５の操作を受け付ける状態となる。
【００４１】
使用者が、デジタルカメラ１の背面２１に設けられた広角ズームキー２５もしくは望遠ズームキー２６を使って撮影画角を指示することにより、その指示された撮影画角がＣＰＵ４０に伝えられる。ＣＰＵ４０は、測距部５０１に指示を出して、赤外線によるアクティブ測距方式によって被写体距離を得る。ＡＦ検出部３０８は被写体距離に基づいて画像のピント位置を検出し、撮影レンズ３０１に含まれるフォーカスレンズは、ピント位置に移動する。
【００４２】
使用者によりレリーズボタン１５が押されることにより、操作部２０がＣＰＵ４０に撮影開始の信号を送る。この撮影開始の信号を受けて、絞り３０２が絞り用モータドライバ４０２によって開けられると共にタイミングジェネレータ４０３が作動されることによりＣＣＤ３０３が露光される。続いて、ＣＣＤ３０３に結像されている被写体を表わす画像データがＣＤＳＡＭＰ３０４に出力される。ＣＤＳＡＭＰ３０４では、ＣＣＤ３０３から出力された画像データの雑音の低減が行なわれその雑音が低減された画像データがＡ／Ｄ変換部３０５に供給される。このＡ／Ｄ変換部３０５では、アナログ信号からデジタル信号に変換されたＲＧＢからなる画像データが生成される。生成された画像データは、画像信号処理部３０７で画像処理が施されて、ＳＤＲＡＭ４０７に記憶される。ＳＤＲＡＭ４０７に記憶された画像データは、ＹＣ変換処理部３１０に供給されて、ＲＧＢ信号からＹＣ信号に変換される。ＹＣ信号に変換された画像データは、圧縮伸張処理部３１１において圧縮処理が施される。
【００４３】
続いて、圧縮処理が施された画像データは、ＶＲＡＭ３１２に保存される。続いて、ＶＲＡＭ３１２に保存された画像データは、Ｖｉｄｅｏ／ＬＣＤエンコーダ３１３でビデオ信号に変換され液晶表示パネル２７に導かれる。
【００４４】
ここで、使用者が、画像データを保存したい場合には、画像データが記録メディア１８に保存される。
【００４５】
次に、使用者が本発明の第１実施形態であるデジタルカメラ１を用いて赤外線通信で画像データをプリンタ１００に送信する赤外線通信処理の動作について説明する。
【００４６】
図４は、本発明の第１実施形態であるデジタルカメラの赤外線通信処理を説明するためのフローチャートである。
【００４７】
図５は、本発明の第１実施形態であるデジタルカメラの赤外線通信処理を説明するための概念図である。
【００４８】
ここで、図５（ａ）〜図５（ｆ）は、デジタルカメラ１の液晶表示パネル２７の画面表示を表している。また、図５（ｇ）〜図５（ｌ）は、デジタルカメラ１とプリンタ１００との間で行われる赤外線通信を概念的に描いた図である。なお、説明をわかりやすくするため、デジタルカメラ１の寸法を実際よりも大きく描いている。
【００４９】
このデジタルカメラ１の赤外線通信処理は、使用者が、デジタルカメラ１の前面をプリンタの赤外線受光部１０１に向けて、メニュー切替および実行キー２４により画像データの赤外線通信処理を選択したときに開始される。このとき、デジタルカメラ１の液晶表示パネル２７には、図５（ａ）に示す画面が表示される。また、デジタルカメラ１とプリンタ１００との間で赤外線通信が開始される前段階の状態を図５（ｇ）に示す。
【００５０】
続いて、ＣＰＵ４０は、測距部５０１に、赤外線通信の相手となるプリンタ１００とこのデジタルカメラ１との間の距離の測定を指示し、測距部５０１は、赤外線発光部１６から赤外線１８を発光させる。この赤外線１８はプリンタ１００に当り、反射された赤外線１８は、赤外線受光部１７で受光される。測距部５０１では、赤外線受光部１７で受光した赤外線１８に基づいてプリンタまでの距離を測定する（ステップＳ１００）。この距離の測定方法は、上述したアクティブ測距方式で行われる。このとき、デジタルカメラ１の液晶表示パネル２７には、図５（ｂ）に示す画面が表示される。このアクティブ測距方式の処理を模式的に描いた図が、図５（ｈ）である。
【００５１】
次に、測距部５０１の測定結果を受けて、ＣＰＵ４０は、測定距離が５ｃｍ未満か否かを判定する（ステップＳ１０２）。測定距離が５ｃｍ未満のときには、ＣＰＵ４０は、プリンタが赤外線受信範囲外にある旨のエラー情報をＳＤＲＡＭ４０７に記憶する（ステップＳ１０４）。続いて、ステップＳ１０６に進む。
【００５２】
一方、測定距離が５ｃｍ以上のときには、ステップＳ１１４に進み、測定距離が５ｃｍ以上２０ｃｍ未満か否かが判定される。測定距離が５ｃｍ以上２０ｃｍ未満のときには、ＣＰＵ４０は、赤外線強度を弱く設定して送信する旨の情報をＳＤＲＡＭ４０７に記憶する（ステップＳ１１６）。続いて、ステップＳ１０６に進む。
【００５３】
測定距離が２０ｃｍ以上のときには、ステップＳ１１８に進み、測定距離が２０ｃｍ以上５０ｃｍ未満か否かが判定される。測定距離が２０ｃｍ以上５０ｃｍ未満のときには、ＣＰＵ４０は、赤外線強度を弱く設定して送信する旨の情報をＳＤＲＡＭ４０７に記憶する（ステップＳ１２０）。続いて、ステップＳ１０６に進む。
【００５４】
一方、測定距離が５０ｃｍ以上のときには、ステップＳ１２２に進み、測定距離が５０ｃｍ以上１００ｃｍ未満か否かが判定される。測定距離が５０ｃｍ以上１００ｃｍ未満のときには、ＣＰＵ４０は、赤外線強度を強く設定して送信する旨の情報をＳＤＲＡＭ４０７に記憶する（ステップＳ１２４）。続いて、ステップＳ１０６に進む。
【００５５】
測定距離が１００ｃｍ以上あるいは赤外線が赤外線受光部１７に到達しなかったのときには、ＣＰＵ４０は、プリンタが赤外線受信範囲外にある旨の情報をＳＤＲＡＭ４０７に記憶する（ステップＳ１２６）。続いて、ステップＳ１０６に進む。
【００５６】
判定部５０３は、ＳＤＲＡＭ４０７の情報を参照して、画像データをプリンタ１００に赤外線通信で送信することの可否を判定する（ステップＳ１０６）。
【００５７】
プリンタが赤外線受信範囲内（５ｃｍ以上１００ｃｍ未満）ある旨の判定結果であるときには、ステップＳ１０８に進む。
【００５８】
通信部５０２は、ＣＰＵ４０からの指示を受けて、設定した赤外線強度でプリンタに画像データを赤外線通信で送信する（ステップＳ１０８）。このとき、デジタルカメラ１の液晶表示パネル２７には、図５（ｄ）に示す画面が表示される。ステップＳ１０８の処理を模式的に描いた図が、図５（ｊ）である。ここで、ＩｒＤＡ準拠した赤外線通信を用いているので、実際には、図５（ｊ）に示すように、画像データの通信だけでなく、通信プロトコルの情報データ等のやりとりがデジタルカメラ１とプリンタ１００との間で行われる。
【００５９】
そして、画像データが送信が終了することにより、プリンタ１００では、プリントを開始し、印画紙１０３に画像データがプリントされる（図５（ｋ））。なお、プリント中は、デジタルカメラ１の液晶表示パネル２７には、図５（ｅ）に示す画面が表示される。
【００６０】
通信部５０２は、プリンタが画像データをプリントした後に、プリント終了通知の信号を赤外線で受信する（ステップＳ１１０）。このとき、デジタルカメラ１の液晶表示パネル２７には、図５（ｆ）に示す画面が表示される。ステップＳ１１０の処理を模式的に描いた図が、図５（ｌ）である。
【００６１】
そして、プリント終了通知の信号を赤外線で受信することにより、この処理ルーチンは終了する。
【００６２】
一方、プリンタが赤外線受信範囲外である旨の判定結果であるときには、ステップＳ１１２に進み、デジタルカメラ１の液晶表示パネル２７にエラーメッセージを表示する。このとき、デジタルカメラ１の液晶表示パネル２７には、図５（ｃ）に示す画面が表示される。ステップＳ１１０の処理を模式的に描いた図が、図５（ｉ）である。そして、データ通信を行なわずに、この処理ルーチンは終了する。
【００６３】
本発明の第１実施形態のデジタルカメラ１によれば、必要以上に赤外線の発光強度を強くせずに済み、赤外線通信に用いられる消費電力を抑えることができる。また、赤外線通信をする前に赤外線通信可能か否かが分かるので、無駄な赤外線通信をせずに済み、消費電力を抑えることができる。
【００６４】
以上で、本発明の第１実施形態のデジタルカメラ１の説明を終了し、本発明の第２実施形態のデジタルカメラ１について説明する。
【００６５】
なお、本発明の第１実施形態のデジタルカメラ１と本発明の第２実施形態のデジタルカメラ１とでは、内部構成が一部異なるが、それ以外は同様の構成を有するため、同じ要素については同じ符号を付して説明を省略し、相違点についてのみ説明する。
【００６６】
本発明の第２実施形態のデジタルカメラ１は、判定部５０３の処理を省いて、測距部５０１で得られた距離に応じて赤外線の強度を調整して、プリンタ１００との間で赤外線通信を行う。
【００６７】
次に、使用者が本発明の第２実施形態であるデジタルカメラ１を用いて赤外線通信で画像データをプリンタ１００に送信する赤外線通信処理の動作について説明する。
【００６８】
図６は、本発明の第２実施形態であるデジタルカメラの赤外線通信処理を説明するためのフローチャートである。
【００６９】
この第２実施形態であるデジタルカメラ１も第１実施形態であるデジタルカメラ１と同様に、使用者が、デジタルカメラの前面をプリンタの赤外線受光部１０１に向けて、メニュー切替および実行キー２４により画像データの赤外線通信処理を選択したときに開始される。
【００７０】
ＣＰＵ４０は、測距部５０１に、赤外線通信の相手となるプリンタ１００とデジタルカメラ１との間の距離の測定を指示し、測距部５０１では、アクティブ測距方式によりプリンタまでの距離を測定する（ステップＳ２００）。
【００７１】
次に測定距離が２０ｃｍ未満か否かが判定される（ステップＳ２０２）。測定距離が２０ｃｍ未満のときには、ＣＰＵ４０は、赤外線強度を弱く設定して送信するように通信部５０２に指示を出す（ステップＳ２０４）。
【００７２】
測定距離が２０ｃｍ以上のときには、ステップＳ２１０に進み、測定距離が２０ｃｍ以上５０ｃｍ未満か否かが判定される。測定距離が２０ｃｍ以上５０ｃｍ未満のときには、ＣＰＵ４０は、赤外線強度を中程度に設定して送信するように通信部５０２に指示を出す（ステップＳ２１２）。
【００７３】
一方、測定距離が５０ｃｍ以上のときには、ＣＰＵ４０は、赤外線強度を強く設定して送信するように通信部５０２に指示を出す（ステップＳ２１４）。
【００７４】
通信部５０２は、ＣＰＵ４０からの指示を受けて、設定した赤外線強度でプリンタに画像データを赤外線通信で送信する（ステップＳ２０６）。
【００７５】
そして、画像データが送信が終了することにより、プリンタ１００では、プリントを開始し、印画紙１０３に画像データがプリントされる。
【００７６】
通信部５０２は、プリンタが画像データをプリントした後に、プリント終了通知の信号を赤外線で受信する（ステップＳ２０８）。そして、プリント終了通知の信号を赤外線で受信することにより、この処理ルーチンは終了する。
【００７７】
本発明の第２実施形態のデジタルカメラ１にあっても、必要以上に赤外線の発光強度を強くせずに済み、赤外線通信に用いられる消費電力を抑えることができる。
【００７８】
以上説明したように、本発明によれば、消費電力を抑えつつ、外部機器に画像データを赤外線通信で送信する工夫が施された撮影装置を提供することができる。
【００７９】
なお、外部機器と撮影装置との間の距離を測る測定方法として、上述したアクティブ測距方式に限られず、公知技術として知られている３角測距方式やパッシブ測距方式であってもよい。また、公知技術として知られているコントラスト検出方式であってもよい。
【図面の簡単な説明】
【００８０】
【図１】本発明の第１実施形態であるデジタルカメラを示す外観斜視図である。
【図２】図１に示すデジタルカメラを背面から見た背面図である。
【図３】プリンタと赤外線通信するデジタルカメラの内部の構成を示す図である。
【図４】本発明の第１実施形態であるデジタルカメラの赤外線通信処理を説明するためのフローチャートである。
【図５】本発明の第１実施形態であるデジタルカメラの赤外線通信処理を説明するための概念図である。
【図６】本発明の第２実施形態であるデジタルカメラの赤外線通信処理を説明するためのフローチャートである。
【符号の説明】
【００８１】
１    デジタルカメラ
１１  デジタルカメラ１の前面
１２  対物レンズ
１３  閃光発光窓
１４  デジタルカメラ１の上面
１５  レリーズボタン
１６、１０１  赤外線投光部
１７、１０２  赤外線受光部
１８  記録メディア
２０  操作部
２１  デジタルカメラ１の背面
２２  電源ボタン
２２＿１  電源部
２３  モードスイッチ
２４  メニュー切替および実行キー
２５  広角ズームキー
２６  望遠ズームキー
２７  液晶表示パネル
４０  ＣＰＵ
１００  コンピュータ
３０１  撮影レンズ
３０２  絞り
３０３  ＣＣＤ
３０４  ＣＤＳＡＭＰ
３０５  Ａ／Ｄ変換部
３０６  画像入力コントローラ
３０７  画像信号処理部
３０８  ＡＦ検出部
３０９  ＡＥ＆ＡＷＢ検出部
３１０  ＹＣ変換処理部
３１１  圧縮伸長処理部
３１２  ＶＲＡＭ
３１３  ＶＩＤＥＯ／ＬＣＤエンコーダ
３１４  メディアコントローラ
４０１  レンズ用モータドライバ
４０１＿２  レンズモータ
４０２  絞り用モータドライバ
４０２＿２  絞りモータ
４０３  タイミングジェネレータ
４０４  ＥＥＰＲＯＭ
４０５  ＲＯＭ
５０１  測距部
５０２  通信部
５０３  判定部
【図１】
2007208768.tif 000003
【図２】
2007208768.tif 000004
【図３】
2007208768.tif 000005
【図４】
2007208768.tif 000006
【図５】
2007208768.tif 000007
【図６】
2007208768.tif 000008